【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
物体側にワイドコンバータの着脱が可能で、かつズーム部より物体側にフォーカス部を有するズーム光学系と、前記ズーム光学系を通らない光束を受けて被写体までの距離に関する測距信号を出力する測距可能な最至近距離が規制される第１の焦点検出手段と、前記ズーム光学系で得られた撮影映像のコントラスト状態に対応する信号を用いてズーム光学系の合焦状態を検出する第２の焦点検出手段と、前記第１、第２の焦点検出手段のいずれかの信号を選択し、選択した信号を基に前記フォーカス部を駆動制御するフォーカス駆動部と、を有し、
前記フォーカス駆動部は
ワイドコンバータの装着を確認し、且つ、前記第１の焦点検出手段において、被写体までの距離に対応する信号が検出できない場合は、前記フォーカス部を前記第1の焦点検出手段が測距可能な最至近距離に駆動させた後、前記第２の焦点検出手段のみからの信号を用いて、オートフォーカスを行うことを特徴とする撮像装置。
【請求項２】
物体側にワイドコンバータの着脱が可能で、かつズーム部より物体側にフォーカス部を有するズーム光学系と、前記ズーム光学系を通らない光束を受けて被写体までの距離に関する測距信号を出力する測距可能な最至近距離が規制される第１の焦点検出手段と、前記ズーム光学系で得られた撮影映像のコントラスト状態に対応する信号を用いてズーム光学系の合焦状態を検出する第２の焦点検出手段と、前記第１、第２の焦点検出手段のいずれかの信号を選択し、選択した信号を基に前記フォーカス部を駆動制御するフォーカス駆動部と、を有し、
前記フォーカス駆動部は
ワイドコンバータの装着を確認し、且つ、前記第１の焦点検出手段が被写体までの距離に対応する信号が検出できなく、且つ、前記第１の焦点検出手段で得た信号より求めた被写体のコントラスト値が所定の値より大きい場合は、前記フォーカス部を前記第1の焦点検出手段が測距可能な最至近距離に駆動させた後、前記第２の焦点検出手段のみからの信号を用いて、オートフォーカスを行うことを特徴とする撮像装置。
【請求項３】
前記ズーム光学系の撮影可能な至近距離をＭＯ、前記ズーム光学系の物体側に前記ワイドコンバータを装着したときの撮影可能な至近距離をＷＭＯ、前記第１の焦点検出手段が測距可能な最至近距離をＲとするとき、
ＷＭＯ＜Ｒ＜ＭＯ
であることを特徴とする請求項１又は２に記載の撮像装置。
【請求項４】
前記ズーム光学系に前記ワイドコンバータが装着しているか否かを、自動で判別するワイドコンバータ着脱判別手段を有することを特徴とする請求項１乃至３のいずれか１項に記載の撮像装置。
【請求項５】
前記ズーム光学系に前記ワイドコンバータが装着しているか否かを、マニュアルで切り換えるためのワイドコンバータ着脱判別スイッチを有することを特徴とする請求項１乃至３のいずれか１項に記載の撮像装置。
【請求項６】
物体側にワイドコンバータの着脱が可能で、焦点距離を調節するフォーカス部を有するズーム光学系と、
前記ズーム光学系を通らない光束を受けて被写体までの距離に関する情報を検出する第１の焦点検出手段と、
前記ズーム光学系で得られた撮影映像のコントラスト状態に対応する信号を用いてズーム光学系の合焦状態を検出する第２の焦点検出手段と、
前記第１、第２の焦点検出手段のいずれかの検出手段に基づいて前記フォーカス部を駆動制御するフォーカス駆動部と、を有する撮像装置であって、
被写体までの距離が所定の範囲内である場合、前記フォーカス駆動部は、前記第１の焦点検出手段による検出結果に基づいて前記フォーカス部を駆動した後、前記第２の焦点検出手段による検出結果に基づいて前記フォーカス部を駆動しており、
被写体までの距離が所定の範囲外である場合、前記フォーカス駆動部は、前記所定の範囲の最も距離が短い位置に合焦するように前記フォーカス部を駆動した後、前記第２の焦点検出手段による検出結果に基づいて前記フォーカス部を駆動することを特徴とする撮像装置。
【手続補正２】
【補正対象書類名】明細書
【補正対象項目名】００２０
【補正方法】変更
【補正の内容】
【００２０】
本発明の撮像装置は、
物体側にワイドコンバータの着脱が可能で、かつズーム部より物体側にフォーカス部を有するズーム光学系と、前記ズーム光学系を通らない光束を受けて被写体までの距離に関する測距信号を出力する測距可能な最至近距離が規制される第１の焦点検出手段と、前記ズーム光学系で得られた撮影映像のコントラスト状態に対応する信号を用いてズーム光学系の合焦状態を検出する第２の焦点検出手段と、前記第１、第２の焦点検出手段のいずれかの信号を選択し、選択した信号を基に前記フォーカス部を駆動制御するフォーカス駆動部と、を有し、
前記フォーカス駆動部は
ワイドコンバータの装着を確認し、且つ、前記第１の焦点検出手段において、被写体までの距離に対応する信号が検出できない場合は、前記フォーカス部を前記第1の焦点検出手段が測距可能な最至近距離に駆動させた後、前記第２の焦点検出手段のみからの信号を用いて、オートフォーカスを行うことを特徴としている。
【手続補正３】
【補正対象書類名】明細書
【補正対象項目名】００２１
【補正方法】変更
【補正の内容】
【００２１】
この他、本発明の撮像装置は、
物体側にワイドコンバータの着脱が可能で、かつズーム部より物体側にフォーカス部を有するズーム光学系と、前記ズーム光学系を通らない光束を受けて被写体までの距離に関する測距信号を出力する測距可能な最至近距離が規制される第１の焦点検出手段と、前記ズーム光学系で得られた撮影映像のコントラスト状態に対応する信号を用いてズーム光学系の合焦状態を検出する第２の焦点検出手段と、前記第１、第２の焦点検出手段のいずれかの信号を選択し、選択した信号を基に前記フォーカス部を駆動制御するフォーカス駆動部と、を有し、
前記フォーカス駆動部は
ワイドコンバータの装着を確認し、且つ、前記第１の焦点検出手段が被写体までの距離に対応する信号が検出できなく、且つ、前記第１の焦点検出手段で得た信号より求めた被写体のコントラスト値が所定の値より大きい場合は、前記フォーカス部を前記第1の焦点検出手段が測距可能な最至近距離に駆動させた後、前記第２の焦点検出手段のみからの信号を用いて、オートフォーカスを行うことを特徴としている。
【手続補正４】
【補正対象書類名】明細書
【補正対象項目名】００３１
【補正方法】変更
【補正の内容】
【００３１】
１０５はワイドコンバータ着脱判別装置（ワイコン着脱判別装置）であり、ズーム光学系Ｚａの先端（物体側）にワイドコンバータ１０１が装着されたか否かを自動で判別することを検知するスイッチより成っている。ワイドコンバータ着脱判別装置１０５はメカ的なスイッチ又はフォトリフレクタ等による光学的な検知手段によって構成されている。
【手続補正５】
【補正対象書類名】明細書
【補正対象項目名】００８１
【補正方法】変更
【補正の内容】
【００８１】
１１６はズーム光学系Ｚａに設けられた手動のワイドコンバータ着脱判別スイッチ（ワイコン着脱判別スイッチ）（ワイドコンバータ着脱切り換えスイッチ）である。ズーム光学系Ｚａの先端にワイドコンバータ１０１を装着した場合に、撮影者がスイッチ１１６を押すことでマニュアルでワイドコンバータ１０１が付着したことをフォーカス駆動信号算出部１１３に知らせている。